(57)【要約】【課題】撤去されたたばこ用の自販機を有効利用し得る自販機システムを提供する。【解決手段】たばこ用の自販機を改造した金券発行用の自販機システム１０に関する。貨幣の投入口１と、前記貨幣の投入により選択的に得られる複数種類の金券を表示する表示部２と、前記貨幣の投入により発行される金券を収容した直方体状の紙箱と、前記紙箱を上下に重ねて収容する紙箱収容部３と、前記貨幣の投入により発行される金券入りの紙箱を落下排出して取り出し可能とする取出口４と、を備えている。【選択図】図１
0003152546.tif 000002
【実用新案登録請求の範囲】
【請求項１】
たばこ用の自販機を改造した金券発行用の自販機システムであって、
貨幣の投入口と、
前記貨幣の投入により選択的に得られる複数種類の金券を表示する表示部と、
前記貨幣の投入により発行される金券を収容した直方体状の紙箱と、
前記紙箱を上下に重ねて収容する紙箱収容部と、
前記貨幣の投入により発行される金券入りの紙箱を落下排出して取り出し可能とする取出口と、
を備えた自販機システム。
【請求項２】
請求項１において、前記紙箱の表面または前記紙箱内に「おみくじ」が添付されていることを特徴とする自販機システム。
【考案の詳細な説明】
【技術分野】
【０００１】
本考案は自販機システムに関するものである。
【背景技術】
【０００２】
従来より、種々の商品の自販機が提案させれている（特許文献１参照）。
【先行技術文献】
【特許文献】
【０００３】
【特許文献１】特開２０００−１４９１１９（要約書）
【考案の概要】
【考案が解決しようとする課題】
【０００４】
ここで、撤去されたたばこ用の自販機（自動販売機）は、稼働可能な状態であっても再利用されることなく廃棄される。
【０００５】
したがって、本考案の目的は、撤去されたたばこ用の自販機を有効利用し得る自販機システムを提供することである。
【課題を解決するための手段】
【０００６】
前記目的を達成するために、本考案の自販機システムは、たばこ用の自販機を改造した金券発行用の自販機システムであって、貨幣の投入口と、前記貨幣の投入により選択的に得られる複数種類の金券を表示する表示部と、前記貨幣の投入により発行される金券を収容した直方体状の紙箱と、前記紙箱を上下に重ねて収容する紙箱収容部と、前記貨幣の投入により発行される金券入りの紙箱を落下排出して取り出し可能とする取出口と、を備えている。
【考案の効果】
【０００７】
本考案によれば、たばこ用の自販機を改造した金券発行用の自販機に、金券の入った紙箱を複数種類上下に重ねて前記紙箱収容部に収容しておく。前記紙箱は、投入された貨幣よりも大きな金額の金券が収容されたものと、前記投入された貨幣よりも小さな金額の金券が収容されたものとがランダムに重ねられて紙箱収容部に収容される。
そのため、顧客が貨幣の投入口から貨幣を投入すると、投入した金額よりも大きな金額の金券が入った紙箱か、あるいは、投入した金額よりも小さな金額の金券が入った紙箱が取出口からランダムに排出される。
したがって、顧客は運試し的な感覚で貨幣を投入することで、当該自販機を利用するので、たばこ用の自販機を廃棄することなく有効利用することができる。
【０００８】
前記金券は、所定の商店や商店群で使用できる商品券であるのが好ましい。
【図面の簡単な説明】
【０００９】
【図１】本考案の一実施例にかかる自販機システムを示す概略斜視図である。
【図２】同システムに用いる紙箱および金券を示す概略斜視図である。
【図３】同システムを示す概略構成図である。
【図４】同システムの用いた運用方法の一例を示す概念図である。
【考案を実施するための形態】
【００１０】
本考案において、前記紙箱の表面または前記紙箱内に「おみくじ」が添付されていてもよい。
本態様によれば、前記紙箱内におみくじが添付されているので、顧客が自身の運勢を占うことができるので、より一層、自販機システムの稼働率を高めることができる。
なお、本考案において、「おみくじ」とは、吉凶などの運勢を占うために引くくじであり、前記「おみくじ」には、たとえば、大吉や、小吉、凶、大凶などの運勢の他に、恋愛運、ラッキーナンバ、ラッキーカラー、ラッキー方位などが記載されていてもよい。
【実施例１】
【００１１】
以下、本考案に係る自販機システムの一実施例を図面にしたがって説明する。
自販機システム１０：
図１は、たばこ用の自販機を改造した金券発行用の自販機システム１０を示す。
前記自販機システム１０は、商店街や店舗の店先などに設置される。
前記自販機システム１０の前面には、貨幣の投入口１、表示部２、取出口４および複数の購入ボタン５などが配置されている。
【００１２】
紙箱１４：
前記釣銭排出口６から、図２に示す金券１１〜１３のいずれかが入った紙箱１４が前記取出口４（図１）から排出される。
前記紙箱１４は直方体状に形成されており、一般的なたばこの箱の大きさ程度に設定されるのが好ましい。
紙箱１４の一面には「おみくじ」が印字されたシール１５が貼付されている。前記シール１５には、たとえば、吉凶を表す「大吉」、「吉」ないし「凶」の文字が印字されていると共に、前記吉凶に応じた恋愛運、ラッキーナンバー、ラッキーカラー、ラッキー方位などの内容がそれぞれ印字されている。
【００１３】
「大吉」の「おみくじ」が印字されたシール１５が貼付された紙箱１４には、「金」と印字された金色の金券１１が収容されている。
「吉」の「おみくじ」が印字されたシール１５が貼付された紙箱１４には、「銀」と印字された銀色の金券１２が収容されている。
「凶」の「おみくじ」が印字されたシール１５が貼付された紙箱１４には、「はずれ」と印字された白色の金券１３が収容されている。
なお、「大吉」、「吉」、「凶」の「おみくじ」が印字されたシール１５が貼付された紙箱１４には、「金」、「銀」、「はずれ」の金券１１〜１３がランダムに入れられていてもよい。かかる場合には、「おみくじ」による運勢の占いと、金券１１〜１３の金額が異なるため、顧客は二度楽しめることになる。
【００１４】
前記金券１１〜１３の金額および割合は、顧客の投入金額に応じて設定される。たとえば、顧客の投入金額が２００円である場合には、金色の金券１１が１０００円、銀色の金券１２が５００円および白色の金券１３が５０円に設定してもよい。
なお、「おみくじ」の記載内容や、金券の金額・割合は、当該金券が使用される商店や商店群（商店街組合）などの状況に応じたものが用いられる。
また、「おみくじ」は紙箱１４に印字されていてもよい。
【００１５】
表示部２：
図１に示すように、自販機システム１０の表示部２には、貨幣の投入によって得られる複数種類の前記各金券１１〜１３の見本が表示（展示）されている。
【００１６】
紙箱収容部３：
図３に示すように、前記自販機システム１０の内部には、前記紙箱１４が収容される紙箱収容部３が設けられている。                                                      前記紙箱収容部３には、前記金額の異なる金券１１〜１３がランダムに上下に重ねられて収容されている。
前記紙箱収容部３の下部には排出装置９が設けられている。前記排出装置９は制御部８に接続されている。前記制御部８は、図１の貨幣の投入口１から貨幣が投入された後、購入ボタン５が押されると前記排出装置９を作動させて前記紙箱１４を１個排出する。前記排出により、顧客が当該紙箱１４を取出口４から取り出すことが可能となる。
【００１７】
自販機システム１０の使用方法：
図１に示す自販機システム１０の貨幣の投入口１に、顧客が貨幣を投入した後、購入ボタン５を押下すると、図３の制御部８が排出装置９を作動させて図２に示す紙箱１４を排出する。顧客は取出口４（図１）から当該紙箱１４を取り出し、シール１５に記載された「おみくじ」の内容を見て吉凶の内容を見ると共に、紙箱１４から当該「おみくじ」の内容に対応する金券１１〜１３を取り出し、該金券１１〜１３の使用可能な店舗で買物を行う。
【００１８】
このように、本自販機システム１０により、顧客は「おみくじ」によって吉凶を占うことができると共に、店舗側は集客を見込めることができる。特に、「凶」の白色の金券１３にも小額の金額を設定することで、顧客が当該白色の金券１３を使用することで、集客を見込むことができる。
【００１９】
自販機システム１０を用いた運用方法：
つぎに、自販機システム１０を用いた運用方法の一例について簡単に説明する。
図４に示すように、顧自販機提供者３０は、商店２０との契約締結後、該商店２０の店先に自販機システム１０を設置する。
顧客Ｍが貨幣を投入し、紙箱１４に入った金券１１〜１３を受け取ると、該金券１１〜１３を商店２０で使用する。商店２０では、金券１１〜１３は、該金券１１〜１３に記載された金額を現金と同様に使用することができる。
所定期間毎に、商店２０が顧自販機提供者３０に、当該商店２０で使用された金券１１〜１３を持ち込み、該顧自販機提供者３０から金券１１〜１３を現金化して受け取る。
顧自販機提供者３０は、自販機システム１０に投入された現金の回収や、自販機システム１０への金券１１〜１３の補充、自販機システム１０の保守・管理などを行う。
なお、前記商店２０は、複数の商店２０からなる商店群（商店街）などであってもよい。
【産業上の利用可能性】
【００２０】
本考案の自販機システムは、商店や商店街などの販売促進に用いることができる。
【符号の説明】
【００２１】
１：貨幣の投入口
２：表示部
３：紙箱収容部
４：取出口
１０：自販機システム
１１〜１３：金券
１４：紙箱
【図３】
0003152546.tif 000003
【図４】
0003152546.tif 000004
【図１】
0003152546.tif 000005
【図２】
0003152546.tif 000006